(57)【要約】【課題】携帯端末の着信メロディと編曲や音色が同じであるオルゴールを入手可能にする。【解決手段】着信メロディをオルゴール用楽曲に置換可能なメロディにより構成し、該着信メロディを着信メロディデータベース２に蓄積しておくと共に、着信メロディデータベース２内の着信メロディを着信メロディ配信サーバ３から携帯端末６に配信し（ステップ１〜７）、該携帯端末６の表示画面上に、その着信メロディをオルゴールとして購入するか否かの入力画面を表示し（ステップ７）、入力画面においてオルゴールの購入が選択された場合には（ステップ８）、その購入注文をオルゴール受注サーバ４を介してオルゴール受注データベース５に入力するようにし（ステップ９〜１９）、着信メロディと同じメロディのオルゴールを販売する。【選択図】　　　　図１
2004029978.tif 000002
【特許請求の範囲】
【請求項１】
着信メロディをオルゴール用楽曲に置換可能なメロディにより構成し、該着信メロディを着信メロディデータベースに蓄積しておくと共に、上記着信メロディデータベース内の着信メロディを着信メロディ配信サーバから携帯端末に配信し、該携帯端末の表示画面上に、その着信メロディをオルゴールとして購入するか否かの入力画面を表示し、上記入力画面においてオルゴールの購入が選択された場合には、その購入注文をオルゴール受注サーバを介してオルゴール受注データベースに入力するようにし、上記着信メロディと同じメロディのオルゴールを販売するようにしてなることを特徴とするオルゴールの販売方法。
【請求項２】
前記入力画面は、前記着信メロディのダウンロード画面に、その表示の一部として形成されることを特徴とする請求項１記載のオルゴールの販売方法。
【請求項３】
前記着信メロディは、予めオルゴールの振動弁の弁数に対応させて編曲されたものであることを特徴とする請求項１または２記載のオルゴールの販売方法。
【請求項４】
前記着信メロディデータベースには、多数の着信メロディが蓄積されていると共に、前記携帯端末の表示画面上で着信メロディを選択できるようにしたことを特徴とする請求項１から３までのいずれか記載のオルゴールの販売方法。
【発明の詳細な説明】
【０００１】
【発明の属する技術分野】
本発明は、オルゴールの販売方法に関する。さらに詳述すると、本発明は、携帯端末を利用したオルゴールの販売方法に関する。
【０００２】
【従来の技術】
携帯電話等の携帯端末では、着信を知らせる音（着信音）をユーザが独自に設定することができる。着信音は購入時よりインストールされている中から選択するのが通常であるが、作曲機能を有する機種ではユーザが自ら着信音を作成して設定したり、ＷＥＢに接続できる機種ではＷＥＢ上の着信メロディ配信サイトに接続して好みの曲を携帯端末にダウンロードして着信音として設定することができる。着信メロディ配信サイトに接続したユーザは、着信メロディ配信サイトで用意されている楽曲検索システムなどを利用して、そのサイトに登録されている楽曲から好みの曲を探し出すことができる。
【０００３】
【発明が解決しようとする課題】
しかしながら、上述した着信メロディ配信サイトでは着信メロディを有償または無償で配布するに止まっているので、ユーザが着信メロディ配信サイトから好みの着信メロディをダウンロードしても、選択した曲を着信メロディとは異なる形態の商品、例えばオルゴールとして入手したい場合に簡単に入手する方法が無い。
【０００４】
また、着信メロディ配信サイトにより配信される着信メロディは携帯端末で使用されることのみを前提に編曲などされているので、希望した曲をオルゴールなどの異なる形式の商品で入手できたとしても、着信メロディとは編曲や音色が異なっている。このため、ユーザは着信メロディを聴いてその曲のオルゴール等を入手することが非常に困難である。
【０００５】
そこで、本発明は、携帯端末の着信メロディと編曲や音色が同じであるオルゴールを入手可能なオルゴールの販売方法を提供することを目的とする。
【０００６】
【課題を解決するための手段】
かかる目的を達成するために請求項１記載のオルゴールの販売方法は、着信メロディをオルゴール用楽曲に置換可能なメロディにより構成し、該着信メロディを着信メロディデータベースに蓄積しておくと共に、着信メロディデータベース内の着信メロディを着信メロディ配信サーバから携帯端末に配信し、該携帯端末の表示画面上に、その着信メロディをオルゴールとして購入するか否かの入力画面を表示し、入力画面においてオルゴールの購入が選択された場合には、その購入注文をオルゴール受注サーバを介してオルゴール受注データベースに入力するようにし、着信メロディと同じメロディのオルゴールを販売するようにしている。
【０００７】
したがって、着信メロディをオルゴール用楽曲に置換可能なメロディにより構成しているので、着信メロディと同じメロディのオルゴールを容易に作製することができる。また、着信メロディをダウンロードした携帯端末を利用してオルゴールを注文できるので、ユーザの利便性を高めることができる。
【０００８】
そして、請求項２記載の発明は、請求項１記載のオルゴールの販売方法において、入力画面は、着信メロディのダウンロード画面に、その表示の一部として形成されるようにしている。したがって、着信メロディをダウンロードした直後にそのままオルゴールを注文できるので、ユーザの利便性を高めることができる。
【０００９】
また、請求項３記載の発明は、請求項１または２記載のオルゴールの販売方法において、着信メロディは、予めオルゴールの振動弁の弁数に対応させて編曲されたものであるようにしている。したがって、着信メロディを編曲することなくオルゴール用の曲に容易に変換することができる。
【００１０】
さらに、請求項４記載の発明は、請求項１から３までのいずれか記載のオルゴールの販売方法において、着信メロディデータベースには、多数の着信メロディが蓄積されていると共に、携帯端末の表示画面上で着信メロディを選択できるようにしている。したがって、ユーザは携帯端末を利用して多数の曲の中から好みの曲を選択してダウンロードすることができる。
【００１１】
【発明の実施の形態】
以下、本発明の構成を図面に示す最良の形態に基づいて詳細に説明する。図２に本発明のオルゴールの販売方法の実施形態の一例を利用した販売システム１を示す。この販売システム１は、着信メロディが蓄積されている着信メロディデータベース２と、着信メロディデータベース２内の着信メロディをユーザに配信する着信メロディ配信サーバ３と、ユーザからのオルゴールの購入注文を受注するオルゴール受注サーバ４と、ユーザのオルゴールの注文を登録するオルゴール受注データベース５と、ユーザが操作して着信メロディ配信サーバ３およびオルゴール受注サーバ４に接続する携帯端末６とを備えている。
【００１２】
そして、このオルゴールの販売方法では、着信メロディをオルゴール用楽曲に置換可能なメロディにより構成すると共に、該着信メロディを着信メロディデータベース２に蓄積しておく。さらに、オルゴールの販売方法は、着信メロディデータベース２内の着信メロディを着信メロディ配信サーバ３から携帯端末６に配信し、該携帯端末６の表示画面上に、その着信メロディをオルゴールとして購入するか否かの入力画面２０ａを表示し、入力画面２０ａにおいてオルゴールの購入が選択された場合には、その購入注文をオルゴール受注サーバ４を介してオルゴール受注データベース５に入力するようにし、着信メロディと同じメロディのオルゴールを販売するようにしている。このため、着信メロディをオルゴール用楽曲に置換可能なメロディにより構成しているので、着信メロディと同じメロディのオルゴールを容易に作製することができる。また、着信メロディをダウンロードした携帯端末６を利用してオルゴールを注文できるので、ユーザの利便性を高めることができる。
【００１３】
さらに、この販売システム１は、曲を着信メロディとオルゴール用楽曲との両方に使えるように編曲するメロディ編曲部門７と、メロディ編曲部門７で作成された曲を蓄積する編曲データベース８と、編曲データベース８に蓄積された曲を各種携帯端末６に合わせた着信メロディに変換すると共に着信メロディデータベース２に蓄積する着信メロディ作成部門９と、編曲データベース８に蓄積された曲に基づいてオルゴールを作製するオルゴール製造部門１０と、製造されたオルゴールを発送する商品発送部門１１と、会員データベース１２と、料金支払システム１３とを備えている。
【００１４】
着信メロディ配信サーバ３およびオルゴール受注サーバ４と携帯端末６とは情報処理装置として構成され、それぞれ情報ネットワーク１４に接続されている。情報ネットワーク１４は、各種情報処理装置間の双方向のデータ通信を可能とする情報インフラストラクチャであり、本実施形態では例えばインターネット１４を使用している。着信メロディ配信サーバ３およびオルゴール受注サーバ４と携帯端末６との間でインターネット１４を介してデータ通信を行う手段として、例えば既知の技術であるＷＷＷ（ｗｏｒｌｄ　Ｗｉｄｅ　Ｗｅｂ）ブラウザとＷＷＷサーバによるＷＷＷシステムの利用が容易であり好ましい。また、携帯端末６からインターネット１４への接続は、基地局１５からキャリア側網１６を介してキャリア側サーバ設備１７に接続して、ここからインターネット１４へに接続する既存のシステムを使用することができる。
【００１５】
着信メロディ配信サーバ３およびオルゴール受注サーバ４は、中央演算装置、主記憶装置、補助記憶装置、インターネット１４と接続するための通信インターフェース１８、ディスプレイやキーボード等が接続される入出力インターフェース等の既知のハードウェア資源と、これらハードウェア資源を制御するオペレーティングシステムと、ＷＷＷサーバソフトウェアなどを備え、ＷＷＷサーバとしての機能を有する。
【００１６】
上述したオルゴールの販売システム１を利用したオルゴールの販売方法の手順を以下に説明する。
【００１７】
メロディ編曲部門７により、対象とする通常の曲を着信メロディおよびオルゴール用楽曲として共用できる曲に編曲する。着信メロディは、予めオルゴールの振動弁の弁数に対応させて編曲されたものにすることが好ましい。これによれば、着信メロディを編曲することなくオルゴール用の曲に容易に変換することができる。ここでのメロディ編曲部門７としては、例えばコンピュータを使用した自動システムにより編曲を行うようにしたり、あるいは人為的に行うようにしても良い。編曲した後の楽曲データは編曲データベース８に蓄積しておく。
【００１８】
そして、着信メロディ作成部門９により、編曲データベース８に登録された楽曲データを、配信する携帯端末６に合わせて、着信メロディとして配信する楽曲データに変換する。すなわち、ここでは音の増減を行うことなく、携帯端末６に合わせてデータを単に変換するに止まる。ここでの着信メロディ作成部門９としては、例えばコンピュータを使用した自動システムにより変換を行うようにしたり、あるいは人為的に行うようにしても良い。これにより、着信メロディが作成される。この着信メロディは着信メロディデータベース２に登録される。
【００１９】
ユーザは着信メロディをダウンロードするために、携帯端末６から着信メロディを配信しているサイト（着信メロディ配信サーバ３）に接続し、着信メロディサイトの会員になる。このときのユーザ情報が着信メロディ配信サーバ３によって会員データベース１２に登録される。
【００２０】
ユーザが着信メロディ配信サーバ３に接続することにより、着信メロディ配信サーバ３はユーザに対して図３に示すような着信メロディの検索画面１９を与える。ユーザは欲しい着信メロディの条件を携帯端末６に入力する（ステップ１）。この検索条件は着信メロディ配信サーバ３に送られる（ステップ２）。これを受けて着信メロディ配信サーバ３は着信メロディデータベース２に対して検索を掛ける（ステップ３）。その結果は着信メロディ配信サーバ３を経てユーザに送信される（ステップ４）。
【００２１】
さらに、ユーザは検索結果に応じてダウンロードする曲の情報を着信メロディ配信サーバ３に送信する（ステップ５）。着信メロディ配信サーバ３では着信メロディデータベース２に対して曲情報を送信して（ステップ６）、該当する楽曲データを着信メロディ配信サーバ３を介して図４のダウンロード画面２０に示すように携帯端末６にダウンロードする（ステップ７）。ここで、ダウンロード画面２０の一部には、入力画面２０ａが表示されている。このため、着信メロディをダウンロードした直後にそのままオルゴールを注文できるので、ユーザの利便性を高めることができる。
【００２２】
この入力画面２０ａには実際のオルゴールを購入するためのページを表示するボタン２１がある。このボタン２１を押すことにより（ステップ８）、ユーザの携帯端末６はオルゴール受注サーバ４に接続する（ステップ９）。
【００２３】
オルゴール受注サーバ４では、ユーザＩＤなどを基に会員データベース１２に照合して（ステップ１０）、ユーザ情報を得る（ステップ１１）。そして、ユーザの携帯端末６に図５に示すようなオルゴール購入画面２２を表示する（ステップ１２）。ここで、ユーザがこのサイトで初めてオルゴールを購入する場合には、氏名や住所、商品の送り先、料金の支払方法等の情報を打ち込む（ステップ１３）。
【００２４】
オルゴール購入画面２２への必要事項の入力が完了したら、ユーザは送信ボタン２３を押して必要事項の情報をオルゴール受注サーバ４に送信する（ステップ１４）。オルゴール受注サーバ４は入力情報が正しいか否かの図６に示す確認画面２４を携帯端末６に表示する（ステップ１５）。ユーザは表示された入力情報を確認し、そのまま購入する場合は購入ボタン２５を押す（ステップ１６）。
【００２５】
購入ボタン２５が押されたことはオルゴール受注サーバ４に送信される（ステップ１７）。オルゴール受注サーバ４では会員データベース１２に接続してユーザの購入情報を登録する（ステップ１８）。ここで、今回入力されたユーザ情報を会員データベース１２のユーザ情報に関連付けて、同じユーザが次にオルゴールを購入する際に今回入力された情報の必要部分だけを変更するようにする。また、オルゴール受注サーバ４はオルゴール受注データベース５に接続して、注文された曲名、その曲の編曲情報、ユーザ情報等の受注データを登録する（ステップ１９）。そして、注文は完了するので、図７に示す購入完了画面２６を携帯端末６に表示する（ステップ２０）。
【００２６】
さらに、料金支払システム１３を通してオルゴールの代金を徴収する。また、オルゴール製造部門１０では、オルゴール受注データベース５からオルゴールの注文記録とその曲の編曲情報を確認し、編曲データベース８からの楽曲データを基にオルゴールを製造する。このオルゴールは商品発送部門１１に送られる。商品発送部門１１では、オルゴール受注データベース５のユーザ情報を参照してオルゴールの発送を行う。
【００２７】
上述したように本実施形態のオルゴールの販売方法によれば、着信メロディのダウンロードと同様のインターフェースでオルゴールを注文することができるので、ユーザは商品を容易に購入することができる。
【００２８】
なお、上述の形態は本発明の好適な形態の一例ではあるがこれに限定されるものではなく本発明の要旨を逸脱しない範囲において種々変形実施可能である。例えば、本実施形態ではオルゴールの販売システムに会員データベース１２を備えているが、これには限られず無くても良い。
【００２９】
また、上述した実施形態ではユーザが購入できる商品は着信メロディデータベース２に登録された楽曲のみであるが、これには限られない。例えば、好きな曲をリクエストして、その曲をメロディ編曲部門７→編曲データベース８→着信メロディ作成部門９という経路を経て着信メロディデータベース２に登録して配信するようにしても良い。
【００３０】
【発明の効果】
以上説明したように、請求項１記載のオルゴールの販売方法によれば、着信メロディをオルゴール用楽曲に置換可能なメロディにより構成しているので、着信メロディと同じメロディのオルゴールを容易に作製することができる。このため、着信メロディと同じメロディのオルゴールを欲するユーザの要求を満たすことができる。
【００３１】
また、着信メロディの編曲とオルゴールの編曲とが同じになるので、ユーザは着信メロディを着信メロディとして楽しむだけでなく、購入可能なオルゴールのイメージを着信メロディにより確認することができる。
【００３２】
さらに、着信メロディをダウンロードした携帯端末を利用してオルゴールを注文できるので、ユーザの利便性を高めることができる。特に着信メロディのダウンロードと同様のインターフェースでオルゴールの注文をすることができるので、オルゴールを容易に購入することができる。
【００３３】
そして、請求項２記載のオルゴールの販売方法によれば、着信メロディをダウンロードした直後にそのままオルゴールを注文できるので、ユーザの利便性を高めることができる。
【００３４】
また、請求項３記載のオルゴールの販売方法によれば、着信メロディは、予めオルゴールの振動弁の弁数に対応させて編曲されたものであるようにしている。したがって、着信メロディを編曲することなくオルゴール用の曲に容易に変換することができる。
【００３５】
さらに、請求項４記載のオルゴールの販売方法によれば、ユーザは携帯端末を利用して多数の曲の中から好みの曲を選択してダウンロードすることができる。
【図面の簡単な説明】
【図１】本発明のオルゴールの販売方法の手順を示すチャート図である。
【図２】オルゴールの販売方法を適用したオルゴールの販売システムの全体を示すブロック図である。
【図３】携帯端末での検索画面を示す図である。
【図４】携帯端末でのダウンロード画面を示す図である。
【図５】携帯端末でのオルゴール購入画面を示す図である。
【図６】携帯端末での確認画面を示す図である。
【図７】携帯端末での購入完了画面を示す図である。
【符号の説明】
２　着信メロディデータベース
３　着信メロディ配信サーバ
４　オルゴール受注サーバ
５　オルゴール受注データベース
６　携帯端末
２０　ダウンロード画面
２０ａ　入力画面
【図１】
2004029978.tif 000003
【図２】
2004029978.tif 000004
【図３】
2004029978.tif 000005
【図４】
2004029978.tif 000006
【図５】
2004029978.tif 000007
【図６】
2004029978.tif 000008
【図７】
2004029978.tif 000009